(57)【要約】【課題】  高いシール性を確保してケースを施蓋でき、かつ、ケースに対し、開閉自在で容易に脱着できるカバーを備えた光電センサボックスを提供する。【解決手段】  左右寸法の小さい偏平なケース２に、これの上面を覆うカバー３を、回動による開閉が可能で、かつ、着脱可能に装着する。カバー３の後端面から後方への突出位置に設た支軸２９の両端面に、外側方に進出した軸側進出面２９ａと、軸側進出面２９ａとの接続部から内側方へ向け後退する軸側傾斜面２９ｂとを設ける。ケース３に、支軸２９の両端部が嵌合する軸孔３１を有する一対の受部３０を設け、この両受部３０の軸孔３１の周囲の内側面に、内側方に進出した受側進出面３０ａと、受側進出面と３０ａから外側方へ向け後退する受側傾斜面３０ｂとを設ける。一対の軸側進出面２９ａ，２９ａ間の寸法Ｄ１は、一対の受側進出面３０ａ，３０ａ間の寸法Ｋ２よりも大きく、かつ、一対の受側傾斜面３０ｂ，３０ｂ間の最大寸法Ｋ１よりも小さく設定する。【選択図】  図６
2006153786.tif 000002
【特許請求の範囲】
【請求項１】
左右寸法の小さい偏平なケースを有し、前記ケースの上面に光電センサの操作部を有するボックスであって、
前記ケースに前記操作部を覆うカバーが、回動による開閉が可能で、かつ、着脱可能に装着されており、
前記カバーに後端面から後方へ突出した位置で支軸が設けられ、
前記ケースに前記支軸の両端部が嵌合される軸孔を有する一対の受部が設けられ、
前記支軸の両端面に、上側に位置して外側方に進出した軸側進出面と、下側に位置して前記軸側進出面に連なり、前記軸側進出面との接続部から下方に離れるにしたがって内側方へ後退する軸側傾斜面とが形成され、
前記各受部における軸孔の周囲の内側面に、前記軸孔の前半部に対応した位置で内側方に進出した受側進出面と、前記軸孔の後半部に対応した位置で前記受側進出面に連なり、前記受側進出面との接続部から後方に離れるにしたがって外側方へ後退する受側傾斜面とが形成され、
一対の前記軸側進出面間の寸法が一対の前記受側進出面間の寸法よりも大きく、かつ、一対の前記受側傾斜面間の最大寸法よりも小さく設定されている脱着容易なカバーを備えた光電センサボックス。
【請求項２】
請求項１において、前記カバーとケースとの間にシール部材が介装されている脱着容易なカバーを備えた光電センサボックス。
【請求項３】
請求項１または２において、前記ケースに、前記カバーが閉位置からほぼ１８０°回動したとき前記カバーの一端面に当接する当接面が設けられており、前記カバーのさらなる回動により、前記当接面を支点として前記支軸を軸孔から上方へ離脱させる脱着容易なカバーを備えた光電センサボックス。
【発明の詳細な説明】
【技術分野】
【０００１】
本発明は、主として、左右寸法の小さい偏平な形状の上面に操作部を有するケースに、操作部を収容する状態で覆うカバーが、脱着容易で、かつ、防水性を有した状態で閉塞できるように取り付けられた光電センサボックスに関するものである。
【背景技術】
【０００２】
このような光電センサは、例えば、製造ラインにおいて移送される物品を検知する用途や、監視エリア内の侵入者を検知する用途などに用いられる。光電センサのカバー取付構造としては、光を投射する発光素子と物体からの反射光を検知する受光素子とを備えた反射型光電センサにおいて、機器保護用またはデザイン面の向上を目的とした透明カバーがケースに固定的に取り付けられたものが知られている（例えば、特許文献１参照）。
【０００３】
一方、光電センサには、ケースに内蔵した発光素子の発光を投光用光ファイバを通じて外部に投射し、その投射光の被検知物からの反射光または投射光を受光用光ファイバに入射させてケースに内蔵した受光素子に導くものが存在する。この種の光電センサは、投光用および受光用の光ファイバを備えていることから、前記反射型光電センサにおいてケースに内蔵されている投光光学系や受光光学系などが不要であるので、一般に、偏平な小形のケースを有し、そのケースの上面に操作部を有するボックスを備え、そのボックスに発光素子や受光素子が内蔵されている。
【特許文献１】特開平８−１６０１２３号公報
【発明の開示】
【発明が解決しようとする課題】
【０００４】
ところで、前記光ファイバを備えた光電センサにおけるカバーについては、つぎのような相反する２つの要求がある。すなわち、塵埃が殆ど発生せず、かつ、防水なども不要な場所に設置する場合には、カバーが特に必要でなく、むしろカバーが無い方がカバーの開放操作を行うことなしに操作部を即座に操作できる利点があるので、カバーを容易に取り外せることが要求される。一方、防塵および防水が必要な場所に設置する場合には、カバーがケース内部を高いシール性を有して閉じることができるように取り付けられ、かつ、ケース上面の操作部を必要に応じて操作するためにカバーが開閉自在であることが要求される。
【０００５】
しかしながら、前記二つの相反する要求を共に満足できる汎用性を備えた取付形態でカバーを取り付けることは極めて困難である。すなわち、前者の要求に対しては、カバーをケースに対し単に嵌合するだけで容易に着脱できる簡単な取付構造とすることで対応できるが、このような嵌合手段による取付構造では、防塵性および防水性を得られる構成とすることは可能であるが、後者の要求である、カバーをケースに対し開閉自在に取り付けることはできない。
【０００６】
一方、後者の要求に対しては、防塵性および防水性を得るために、例えばＯリングなどのシール部材をカバーによる閉塞時にケースとカバーとの間で圧縮変形させて十分なシール性を確保しながら、シール部材の圧縮変形による反力に抗してカバーがケースから外れることがなく、かつ、カバーをケースに対し回動自在として容易に開閉できるように取り付ける必要がある。このような要求に対しては、一般に、カバーの後端部を金属支軸を介してケースに回動自在に連結する取付構造とすることにより対応できるが、この取付形態ではカバーがケースから容易に取り外しできないので、前者の要求に対応することができない。
【０００７】
本発明は前記従来の問題に鑑みてなされたもので、高いシール性を確保しながらケースを施蓋でき、かつケースに対し開閉自在で、しかもケースに対し容易に脱着できるカバーを備えた光電センサボックスを提供することを目的としている。
【課題を解決するための手段】
【０００８】
前記目的を達成するために、本発明に係る脱着容易なカバーを備えた光電センサボックスは、左右寸法の小さい偏平なケースを有し、前記ケースの上面に光電センサの操作部を有するボックスであって、前記ケースに前記操作部を覆うカバーが、回動による開閉が可能で、かつ、着脱可能に装着されており、前記カバーに後端面から後方へ突出した位置で支軸が設けられ、前記ケースに前記支軸の両端部が嵌合される軸孔を有する一対の受部が設けられ、前記支軸の両端面に、上側に位置して外側方に進出した軸側進出面と、下側に位置して前記軸側進出面に連なり、前記軸側進出面との接続部から下方に離れるにしたがって内側方へ後退する軸側傾斜面とが形成され、前記各受部における軸孔の周囲の内側面に、前記軸孔の前半部に対応した位置で内側方に進出した受側進出面と、前記軸孔の後半部に対応した位置で前記受側進出面に連なり、前記受側進出面との接続部から後方に離れるにしたがって外側方へ後退する受側傾斜面とが形成され、一対の前記軸側進出面間の寸法が一対の前記受側進出面間の寸法よりも大きく、かつ、一対の前記受側傾斜面間の最大寸法よりも小さく設定されている。
【０００９】
この構成によれば、カバーは、ケースの軸孔に嵌合している支軸の両端部を支点としてケースに回動自在に装着されていることにより、回動によってケースの上面を開閉できる。また、カバーの支軸の両端部における各軸側進出面がケースの一対の受部における受側傾斜面に対向する相対位置に位置決めすれば、一対の軸側進出面間の寸法が一対の受側傾斜面間の最大寸法よりも小さいので、支軸を一対の受部に対し前記相対位置に相対向させた配置で押し込めば、支軸の軸側傾斜面が一対の受部における受側進出面に摺動しながら両受部の間隔を拡げるように作用して、支軸が一対の受部間に入り込んで軸側進出面が軸孔に嵌まり込む。これにより、カバーをケースに対し容易に装着できるとともに、カバーが不要な場合には、支軸と受部とを前記相対位置に位置決めすれば、支軸を受部から容易に離脱させることができる。
【００１０】
カバーの支軸を一対の受部間に嵌め込んだ時点では、支軸における軸側進出面を有する一部分が軸孔に僅かに嵌合されているだけであるが、この嵌合状態から、カバーを、支軸を支点に閉位置まで回動させたときに、カバーの支軸における軸側進出面が、ケースの受部における後半部の受側傾斜面に近接した位置から前半部の受側進出面に近接した位置に移動する。カバーの一対の軸側進出面間の寸法はケースの一対の受側進出面間の寸法よりも大きいので、支軸の軸側進出面に対応する部分が軸孔に大きく入り込んで支軸が軸孔に対し容易に離脱しない嵌合状態となるので、カバーがケースに安定して連結される結果、カバーによりケースの上面を確実に閉塞できる。したがって、この光電センサボックスを備えた光電サンセは、防塵および防水が必要な場所に設置する要求にも対応することができる。
【００１１】
本発明の好ましい実施形態では、前記カバーとケースとの間にシール部材が介装されている。これにより、カバーとケースとの間で高いシール性を確保できる。
【００１２】
本発明の好ましい他の実施形態では、前記ケースに、前記カバーが閉位置からほぼ１８０°回動したとき前記カバーの一端面に当接する当接面が設けられており、前記カバーのさらなる回動により、前記当接面を支点として前記支軸を軸孔から上方へ離脱させるようになっている。この構成によれば、てこの原理により、カバーに小さな力を加えるだけで支軸をケースの一対の受部から離脱させて、カバーをケースから容易に取り外すことができる。
【発明の効果】
【００１３】
本発明の脱着容易なカバーを備えた光電センサボックスによれば、カバーを取り外して使用したい要求と、カバーにより防塵および防水の両機能が得られるよう施蓋しながらもカバーの開閉を容易に行いたい要求の双方を満たすことができる。
【発明を実施するための最良の形態】
【００１４】
図１（ａ），（ｂ）は、本発明の一実施形態の光電センサボックスを有する光電センサの平面図および斜視図を示す。前記光電センサボックス１は、左右方向Ｘの寸法が小さい偏平なケース２と、このケース２の上面を覆うカバー３とを備えており、カバー３は、ケース２に対し、前後方向Ｙへの回動による開閉が可能で、かつ、着脱自在に装着されている。ケース２には、発光ダイオードのような発光素子（図示せず）とフォトダイオードのような受光素子（図示せず）とが内装され、投光用および受光用の２つの光ファイバ７，８が前端面２ａを挿通して内部に導入され、コネクタケーブル４が後端面２ｂを挿通して内部に導入されている。ケース２は、反射型光電センサのような投光光学系および受光光学系などが不要であることから、偏平で小形の形状になっている。前記発光素子が出射する光線は、例えば赤色の可視光である。
【００１５】
前記光電センサでは、投光素子および受光素子にコネクタケーブル４を介して電源部から駆動電源が供給されることにより、発光素子の発光が、投光用光ファイバ７中を伝搬して先端の投射口（図示せず）から外部の所定方向に向け放射され、この投射された光あるいは被検知物による反射光が、受光用光ファイバ８の先端の入射口（図示せず）から入射したのち、内部を伝搬して後端の放出口から受光素子に受光され、受光素子の受光の有無に基づく検知信号が、コネクタケーブル４を介して導出されている。
【００１６】
図２（ａ）は前記光電センサのカバー３を開放した状態の斜視図、図２（ｂ）はカバー３の上下面を反転させた状態の斜視図である。図２（ａ）に示すように、ケース２の上面には、矩形状の枠部２ｃで囲まれた操作部１５が設けられており、その操作部１５には、出力表示灯１０、安定入遮光表示灯１１、受光レベル調整用操作摘まみ１２および受光レベル表示窓１３などが設けられている。また、ケース２の上面における操作部１５に隣接した前部近傍箇所は、前記枠部２ｃの上面に対し段差ｄ１を介して僅かに低くなった低所に形成されて、この低所に、前記両光ファイバ７，８を固定するためのファイバ固定用レバー９が設けられている。また、ケース２の前面２ａの上端部には、凹部１８とこの凹部１８の内部に突出した係止突部１９とが設けられている。
【００１７】
一方、図２（ｂ）に示すカバー３は、前記ケース２の上面全体を覆うことのできる細長い長方形の外形を有し、内面側に、前記ファイバ固定レバー９を収容する空間を有するレバー収容凹所２０と、前記操作部１５の各部材１０〜１４，１７を収容する空間を有する操作部収容凹所２１とが設けられている。レバー収容凹所２０の開口縁部は、操作部収容凹所２１の開口縁部に対し、ケース２の前記段差ｄ１よりも若干小さい段差ｄ２を有して僅かに突出されている。また、操作部収容凹所２１の開口縁部２１ａ（カバー３のシール面）には、ゴムのような弾性体からなる環状のシール部材２２が、取付溝（図示せず）に半分が嵌め込まれた状態で固着されている。
【００１８】
前記カバー３には、図２（ａ）に示すように、ケース２を閉じたときの前端部３ａに、前記凹部１８内に入り込む係合片２３と、この係合片２３に形成されてケース２の前記係止突部１９が嵌入する係止孔２４と、係合片２３の上端から前方に一体に突出した操作片２７とが形成されている。また、カバー３には、図２（ｂ）に示す連結基部２８が後端部３ｂから後方へ一体に突設されており、この連結基部２８の両端面から一対の支軸（一方のみ図示）２９が突出している。
【００１９】
図３は前記カバー３における取付基部２８および支軸２９の形成箇所を示したもので、（ａ）はケース２を開いた配置状態、（ｂ）はケース２に対し閉じた配置状態をそれぞれ示している。取付基部２８の両端面から突出した一対の支軸２９の各々の端面には、（ｂ）の配置状態において上側に位置して外側方に進出した軸側進出面２９ａと、下側に位置して軸側進出面２９ａに連なり、この軸側進出面２９ａとの接続部２９ｃから下方に離れるにしたがって内側方へ後退する軸側傾斜面２９ｂとが形成されている。一対の軸側進出面２９ａ，２９ａは互いに平行である。また、カバー３の連結基部２８には、（ｂ）の配置状態における下半部を円弧状とした回動ガイド面２８ａが設けられている。
【００２０】
一方、図４（ａ）の斜視図および（ｂ）の平面図に示すように、前記ケース２には、カバー２が連結される後端部に、カバー３の連結基部２８が嵌まり込む一対の受部３０が左右に対向する配置で後方へ突設され、この各受部３０には、カバー３の前記一対の支軸２９が回転自在に嵌合される軸孔３１が形成されている。前記一対の受部３０には、軸孔３１の周囲の内側面、つまり両受部３０の相対向する面に、軸孔３１の前半部に対応した位置で内側方に進出した受側進出面３０ａと、軸孔３１の後半部に対応した位置で受側進出面３０ａに連なり、この受側進出面３０ａとの接続部３０ｃから後方へ離れるにしたがって外側方へ後退する受側傾斜面３０ｂとが形成されている。一対の受側進出面３０ａ，３０ａは互いに平行である。また、ケース２には、両受部３０，３０の中間位置の下方箇所に、カバー３の連結基部２８の回動ガイド面２８ａを当接させて支持する半球状の支持突部３２が設けられている。
【００２１】
図５は、受光レベル調整用操作摘まみ１２（図２（ａ））の手動操作により受光素子の受光レベルを調整する機構を示す斜視図である。この受光レベル調整機構は、受光レベル調整用操作摘まみ１２を回転操作することにより、その操作摘まみ１２に連結された受光レベル調整用のボリューム３３を可変して受光素子の受光レベルを調整することができる。また、操作摘まみ１２の回転量に対応する受光レベルの値は、表示円板４０の表示指針部４０ａにより、明確に表示される。
【００２２】
すなわち、受光レベル調整用操作摘まみ１２を回転させると、操作摘まみ１２と同軸に取り付けられた小径の主歯車３４と、この主歯車３４に噛み合う中間大歯車３７と、この中間大歯車３７に同軸に取り付けられた中間小歯車３８と、この中間小歯車３８に噛み合う従歯車３９とを備えた減速機構を介して、従歯車３９に同軸に取り付けられ表示円板４０が回転し、表示円板４０に形成された切欠きからなる表示指針部４０ａも回転するので、この表示指針部４０ａを受光レベル表示窓１３（図１）を介して外部から視認することにより、受光レベルが表示される。これに対し、従来では、２点鎖線で示すように、従歯車３９の上面に立設した棒状の表示指針４１を受光レベル表示窓１３から透視する構成になっていたので、表示指針４１が小さいために、受光レベルが判りにくかったが、この棒状の表示指針４１よりも格段に大きく、かつ、表示指針部４０ａを備えた表示円板４０を用いることにより、受光レベルを一目瞭然に視認できる。
【００２３】
つぎに、ケース２とカバー３との連結部分の構成および作用について、図６を参照しながら説明する。先ず、図６（ａ）に示すケース２の一対の受部３０の受側進出面３０ａおよび受側傾斜面３０ｂとカバー３の一対の支軸２９の軸側進出面２９ａおよび軸側傾斜面２９ｂとの寸法関係について説明する。図６（ｂ）に示すように、カバー３側の一対の軸側進出面２９ａ，２９ａ間の寸法Ｄ１は、ケース２側の一対の受側進出面３０ａ，３０ａ間の寸法Ｋ２よりも大きく、かつ、一対の受側傾斜面３０ｂ，３０ｂ間の最大寸法Ｋ１よりも小さく、また、カバー３側の一対の軸側傾斜面２９ｂ，２９ｂ間の最小寸法Ｄ２は、一対の受側進出面３０ａ，３０ａ間の寸法Ｋ２よりも小さく設定されている。すなわち、Ｄ２＜Ｋ２＜Ｄ１＜Ｋ１の寸法関係に設定されている。
【００２４】
そして、カバー３をケース２に取り付けるに際しては、図６（ａ）に示すように、カバー３を、これの後部を下方に向けた上下方向Ｚの配置として、取付基部２８をケース２の一対の受部３０，３０間に後方側から押し込む。このとき、一対の受部３０と一対の支軸２９とは図６（ｂ）に示す相対配置になっているから、一対の支軸２９の軸側傾斜面２９ｂが一対の受側傾斜面３０ｂ，３０ｂ間を挿通し終えた時点では、一対の軸側進出面２９ａ２９ａの挿入側先端部が一対の受側傾斜面３０ｂ３０ｂ間に僅かに入り込んで、両軸側傾斜面２９ｂが受側進出面３０ａに当接し、かつ、軸側進出面２９ａの挿入側先端部が受側傾斜面３０ｂに当接する。
【００２５】
前記状態から、さらに取付基部２８を両受部３０間へ挿入する方向に向けて押し続けると、両軸側傾斜面２９ｂが受側進出面３０ａに当たって両受部３０を外方へ弾性変形させることにより、両受部３０の間隔をスムーズに拡げながら両受部３０，３０間に進入していく。そして、図６（ｃ）に示すように、取付基部２８の両受部３０，３０間への進入によって両支軸２９が対応する軸孔３１に相対向したときには、両受部３０が弾性復元力によって元の状態に復帰するので、両支軸２９の両端部が軸孔３１に僅かに嵌まり込む。このようにして、カバー３を両支軸２９を支点とした回動自在の形態でケースに容易に取り付けることができる。また、カバー３を回動させるときには、図３（ｂ）に示したカバー３における取付軸部２８の円弧状の回動ガイド面２８ａがケース２の半球状の支持突部３２に摺接するので、カバー３を円滑に回動操作できる。
【００２６】
上述のようにしてケース２に回動自在に取り付けたカバー３を図１に示す閉位置まで回動させたときには、図５（ｄ）に示すように、カバー３の両支軸２９における軸側進出面２９ａが、ケース２の両受部３０に対し、受側傾斜面３０ｂに近接する位置（後側の位置）から受側進出面３０ａに近接する位置（前側の位置）に移動する。両軸側進出面２９ａ間の寸法Ｄ１は両受側進出面３０ａ間の寸法Ｋ２よりも大きいので、支軸２９の軸側進出面２９ａに対応する部分は軸孔３１内に大きく入り込み、これにより、両支軸２９が軸孔３１に対し、容易に離脱しない安定した嵌合状態となる。
【００２７】
そして、カバー３がケース２を完全に閉じる位置まで回動されたときには、図２（ａ）に示すカバー３の係合片２３がケース２の凹部１８に侵入するよう案内されて、ケース２の係止突部１９が、係合片２３により僅かに後方へ弾性変形されたのちに、カバー３の係止孔２４内に嵌まり込み、カバー３がケース２を閉じた状態に保持される。
【００２８】
前記カバー３によりケース２の上面を閉じる過程では、先ず、図２（ｂ）に示すカバー３のシール部材２２が、図２（ａ）に示すケース２の上面の枠部２ｃ上に載置される状態となり、この状態から、カバー３がさらに強制的に回動されることにより、カバー３のレバー収容凹所２０の開口縁部がケース３の前端部の低所に近接して対面し、シール部材２２が、カバー３とケース２の枠部２ｃとの間で圧縮される。これにより、ケース２とカバー３間のシールが強固になされる。
【００２９】
なお、シール部材２２をケース２の枠部２ｃの方に取り付けても、上述したと同様の効果を得ることができる。
【００３０】
また、カバー３を開放するに際しては、図１（ｂ）の状態において、操作片２７を引き上げる操作をすれば、図２（ａ）の係止孔２４が係止突部１９から離脱するので、カバー３を両支軸２９を支点に回動可能の状態にできる。カバー３をケース２から取り外す場合には、カバー３を図６（ａ）に示すように立てて後方へ引き出すこともできるが、これにはかなり強い引出し力が必要となる。そこで、この実施形態では、図６（ｅ）に示すように、カバー３を閉位置からほぼ１８０°回動させる。これにより、カバー３の後端面がケース２の後面部２ａにおける両受部３０の下方に設けられた鉛直な当接面２ｃに当接し、この状態からカバー３をさらに回動させれば、当接面２ｃを支点として両支軸２９が軸孔３１から上方へ離脱される。この取り外しに際しては、てこの原理により、カバー３に小さな力を加えるだけで支軸２９が軸孔３１から離脱するので、カバー３をケース２から容易に取り外すことができる。
【００３１】
したがって、上記光電センサボックス１は、カバー３が不要な場合に、両支軸２９を両軸孔３１から抜き出すことによりカバー３を容易に取り外すことができるとともに、必要に応じてカバー３をケース２に容易に取り付けることができる。また、カバー３を図１に示す閉位置まで回動させたときには、支軸２９が軸孔３１に対し安定した嵌合状態となり、かつ、図２（ｂ）のシール部材２２が図２（ａ）のカバー３とケース２との間で押し潰される形状に弾性変形して、カバー３によりケース２の上面を防塵および防水の両機能を有する確実な閉塞状態に閉じることができる。しかも、カバー３は、ケース３の一対の軸孔３１に嵌合している一対の支軸２９の両端部を支点としてケース２に回動自在に装着されているから、操作部１５の操作時などに、カバー３を回動してケース２の上面を開閉できる。そのため、上記光電センサボックス１は、カバー３が容易に取り外せることと、カバー３がケース２内部を高いシール性で閉止でき、かつ、カバー３が開閉自在であることとの相反する二つの要求に対して、簡単で安価な構成で対応することができる。
【００３２】
なお、本発明は発光素子を有する投光ユニットと、受光素子を有する受光ユニットとからなる透過型の光電センサにも適用でき、その場合、本発明のボックスは投光ユニットと受光ユニットのそれぞれに用いられる。
【図面の簡単な説明】
【００３３】
【図１】（ａ），（ｂ）は、本発明の一実施形態の光電センサボックスを備えた光電センサを示す平面図および斜視図である。
【図２】（ａ）は同上の光電センサのカバーを開放した状態の斜視図、（ｂ）はカバーの上下面を反転させた状態の斜視図である。
【図３】（ａ），（ｂ）は開位置および閉位置にあるカバーの要部を示す斜視図である。
【図４】（ａ），（ｂ）は同上のケースの要部を示す斜視図および平面図である。
【図５】同上の光電センサの受光レベル調整機構を示す斜視図である。
【図６】（ａ），（ｂ）はケースにカバーを取り付ける状態を示す一部斜視図および横断面図、（ｃ）はケースにカバーを取り付けた状態を示す横断面図、（ｄ）はケースをカバーで閉じた状態を示す横断面図、（ｅ）はカバーをケースから取り外す状態を示す斜視図である。
【符号の説明】
【００３４】
１  光電センサボックス
２  ケース
２ｄ  当接面
３  カバー
１５  操作部
２９  支軸
２９ａ  軸側進出面
２９ｂ  軸側傾斜面
３０  受部
３０ａ  受側進出面
３０ｂ  受側傾斜面
３１  軸孔
Ｄ１  軸側進出面間の寸法
Ｋ１  受側傾斜面間の最大寸法
Ｋ２  受側進出面間の寸法
【図１】
2006153786.tif 000003
【図２】
2006153786.tif 000004
【図３】
2006153786.tif 000005
【図４】
2006153786.tif 000006
【図５】
2006153786.tif 000007
【図６】
2006153786.tif 000008